(57)【要約】【課題】端子係止ランスの裏側に確保するランス逃げ空間を、係り代よりも小さく抑えて、コネクタハウジングを小型化することのできるコネクタを提供すること。【解決手段】コネクタハウジング２０の端子収容孔２１の一側に装備された端子係止ランス２２の係止突起２４が、突出長が規定値に設定された突条部２４１と、突出長が突条部２４１よりも小さく設定されて、その端子金具１０側の面が、端子金具１０の一側壁１１ａが摺動する摺動面となる低背部２４２と、を備えると共に、端子金具１０の挿入途中では、突条部２４１が端子金具１０の一側壁１１ａの片側の隅部に形成された切欠部１４に進入し、低背部２４２から立ち上がる突条部２４１の側面２４７が、切欠部１４の内側縁１４ａとの接触によって端子係止ランス２２の弾性片２３を幅方向外方に撓ませる。【選択図】図２
2015079721.tif 000002
【特許請求の範囲】
【請求項１】
一側壁に抜け止め用の凹部が形成された端子金具と、
前記端子金具が挿入される端子収容孔と、前記端子収容孔の一側に装備された端子係止ランスと、を備え、前記端子係止ランスは、前記端子金具の挿入方向と直交する方向に撓み変位可能な弾性片に突設されて前記端子金具が規定の装着位置に到達したときに前記凹部に係合して前記端子金具を抜け止めする係止突起を備えるコネクタハウジングと、
を備えるコネクタであって、
前記端子金具の前記一側壁の片側の隅部には、当該端子金具の前端から前記凹部まで延在して前記凹部に連通した切欠部を備え、
前記係止突起は、前記切欠部側となる片側に位置して前記端子金具側への突出長が規定値に設定された突条部と、該突条部に隣接すると共に前記端子金具側への突出長が前記突条部よりも小さく設定されてその表面を前記一側壁が摺動する低背部と、前記低背部の端部に形成されて前記一側壁との接触によって当該係止突起を前記一側壁に直交する外方向に押し出す力を生ぜしめるガイド斜面と、前記突条部に形成され前記低背部から起立する傾斜面状又は曲面状の側面と、を備え、
前記突条部は、前記端子金具の挿入時に前記切欠部に進入して、前記側面と前記切欠部の内側縁との接触によって前記弾性片を幅方向外方に撓ませることを特徴とするコネクタ。
【請求項２】
前記突条部の最大幅を、前記切欠部の幅寸法よりも小さく設定していることを特徴とする請求項１に記載のコネクタ。
【請求項３】
前記低背部の係り代を、前記切欠部の高さ寸法よりも大きく設定していることを特徴とする請求項１又は２に記載のコネクタ。
【発明の詳細な説明】
【技術分野】
【０００１】
本発明は、コネクタハウジングの端子収容孔に挿入された端子金具を、前記端子収容孔の一側に装備された端子係止ランスによって抜け止めするコネクタに関する。
【背景技術】
【０００２】
図８は、下記特許文献１に開示されたコネクタを示している。
このコネクタ１００は、樹脂製のコネクタハウジング１１０の端子収容孔１１１に挿入された端子金具１２０を、端子収容孔１１１の一側に装備された端子係止ランス１１２によって抜け止めする。
【０００３】
端子金具１２０は、金属板製で、相手端子が嵌合する角筒状の端子嵌合部１２１と、この端子嵌合部１２１の後端に連なる電線圧着部１２２と、を備えている。電線圧着部１２２は、電線１３０を圧着接続する部位である。端子嵌合部１２１は、平坦な一側壁１２１ａに、抜け止め用の凹部１２３ａが設けられている。この凹部１２３ａは、一側壁１２１ａの一部を外方に打ち出した隆起部１２３の後端縁（図８では、右側の端縁）である。
【０００４】
コネクタハウジング１１０の端子収容孔１１１は、ハウジング後端１１０ａに開口しており、このハウジング後端１１０ａから端子金具１２０が挿入される。
【０００５】
端子収容孔１１１の一側に装備される端子係止ランス１１２は、弾性片１１３と、この弾性片１１３に突設された係止突起１１４とから構成されている。弾性片１１３は、端子収容孔１１１への端子金具１２０の挿入方向（図８の矢印Ｘ１方向）に沿って延設されており、端子金具１２０の挿入方向と直交する方向（図８の矢印Ｙ１方向）に撓み変位可能である。係止突起１１４は、端子収容孔１１１内に突出するように弾性片１１３に突設されている。この係止突起１１４のハウジング後端１１０ａ側の端部には、端子金具１２０側への突出長が端子金具１２０の挿入方向に沿って徐々に増大する傾斜面状のガイド斜面１１４ａが設けられている。このガイド斜面１１４ａは、端子収容孔１１１に挿入される端子金具１２０の一側壁１２１ａとの接触によって、当該係止突起１１４を端子収容孔１１１から押し出す方向（図８の矢印Ｙ１方向）の力を生ぜしめて、弾性片１１３を図８の矢印Ｙ１方向に撓ませる。また、係止突起１１４は、ハウジング前端１１０ｂ側の端面が、抜け止め用の係止面１１４ｂになっている。
【０００６】
端子係止ランス１１２は、端子金具１２０が規定の装着位置に到達したときに、撓まされていた弾性片１１３の弾性復元力で、係止突起１１４が元の位置に復帰し、端子金具１２０の凹部１２３ａに係止面１１４ｂが係合して、端子金具１２０を抜け止めする。
【０００７】
端子係止ランス１１２の係止突起１１４は、端子嵌合部１２１の凹部１２３ａとの間に、係り代Ｎ１が確保されるように、端子収容孔１１１側への突出長が設定されている。そのため、端子金具１２０が規定の装着位置に到達する直前では、係止突起１１４が矢印Ｙ１方向に係り代Ｎ１の分だけ下がる。この係止突起１１４の変位を許容するために、端子係止ランス１１２の裏側には、係り代Ｎ１に相当する深さのランス逃げ空間Ｋ１を確保することが必要になる。
【先行技術文献】
【特許文献】
【０００８】
【特許文献１】特開２００５−１９２８２号公報
【発明の概要】
【発明が解決しようとする課題】
【０００９】
ところで、端子金具１２０に対する端子係止ランス１１２の係止力を高めるためには、係り代Ｎ１を大きくすることが望ましい。しかし、係り代Ｎ１を大きくすると、それに応じて、端子係止ランス１１２の裏側に確保するランス逃げ空間Ｋ１も大きくなり、コネクタハウジングの大型化を招くという問題が生じた。
【００１０】
そこで、本発明の目的は、上記課題を解消することに係り、端子金具に対する端子係止ランスの係り代を増大させた場合でも、端子係止ランスの裏側に確保するランス逃げ空間は、前記係り代よりも小さく抑えて、コネクタハウジングを小型化することのできるコネクタを提供することにある。
【課題を解決するための手段】
【００１１】
本発明の前述した目的は、下記の構成により達成される。
（１）  一側壁に抜け止め用の凹部が形成された端子金具と、
前記端子金具が挿入される端子収容孔と、前記端子収容孔の一側に装備された端子係止ランスと、を備え、前記端子係止ランスは、前記端子金具の挿入方向と直交する方向に撓み変位可能な弾性片に突設されて前記端子金具が規定の装着位置に到達したときに前記凹部に係合して前記端子金具を抜け止めする係止突起を備えるコネクタハウジングと、
を備えるコネクタであって、
前記端子金具の前記一側壁の片側の隅部には、当該端子金具の前端から前記凹部まで延在して前記凹部に連通した切欠部を備え、
前記係止突起は、前記切欠部側となる片側に位置して前記端子金具側への突出長が規定値に設定された突条部と、該突条部に隣接すると共に前記端子金具側への突出長が前記突条部よりも小さく設定されてその表面を前記一側壁が摺動する低背部と、前記低背部の端部に形成されて前記一側壁との接触によって当該係止突起を前記一側壁に直交する外方向に押し出す力を生ぜしめるガイド斜面と、前記突条部に形成され前記低背部から起立する傾斜面状又は曲面状の側面と、を備え、
前記突条部は、前記端子金具の挿入時に前記切欠部に進入して、前記側面と前記切欠部の内側縁との接触によって前記弾性片を幅方向外方に撓ませることを特徴とするコネクタ。
【００１２】
（２）  前記突条部の最大幅を、前記切欠部の幅寸法よりも小さく設定していることを特徴とする上記（１）に記載のコネクタ。
【００１３】
（３）  前記低背部の係り代を、前記切欠部の高さ寸法よりも大きく設定していることを特徴とする上記（１）又は（２）に記載のコネクタ。
【００１４】
上記（１）の構成によれば、端子金具をコネクタハウジングの端子収容孔に挿入した際、端子金具が規定の装着位置に到達するまでは、端子係止ランスの係止突起に装備されている突条部が端子金具の切欠部内を進む。そして、突条部は、低背部から起立する側面が傾斜面状又は曲面状で、該突条部の側面が切欠部の内側縁と接触することで、端子係止ランスの弾性片を幅方向外方に撓ませる。また、端子金具の挿入操作時、端子係止ランスにおける係止突起の低背部の端部に形成されたガイド斜面は、端子金具の一側壁との接触によって当該係止突起を端子収容孔から押し出す方向の力を生ぜしめて、端子係止ランスの弾性片を端子金具の一側壁と直交する方向に撓ませる。
【００１５】
即ち、上記（１）の構成によれば、端子金具の挿入途中では、突条部の側面が端子金具の切欠部の内側縁と接触することよって発生する幅方向外方に向かう力と、低背部のガイド斜面が端子金具の一側壁と接触することによって発生する係止突起を前記一側壁に直交する外方向に押し出す力とが作用し、これらの作用力によって、端子係止ランスの係止突起は、端子金具の一側壁に対して斜め方向に変位する。
【００１６】
そして、端子金具の挿入が更に進んで、端子金具が規定の装着位置に到達したときには、突条部の側面と端子金具の切欠部の内側縁との接触状態、及び低背部のガイド斜面と端子金具の一側壁との接触状態のそれぞれが解消され、端子係止ランスの弾性片の弾性復元力によって係止突起が端子金具の一側壁上の凹部に係合した状態となって、端子金具の抜けが防止される。
【００１７】
そして、上記（１）の構成によれば、端子係止ランスの係止突起が端子金具の凹部に係合した状態のときの端子金具に対する端子係止ランスの係り代は、端子係止ランスの係止突起における突条部の端子金具側への突出長分である。しかし、端子金具の挿入途中での端子係止ランスの端子金具の一側壁と直交する方向への撓み変位量は、最大で、端子係止ランスの係止突起における低背部の端子金具側への突出長分であり、係り代よりも小さくなる。
【００１８】
そのため、端子係止ランスの撓みを許容するために端子係止ランスの裏側に確保するランス逃げ空間の深さは、端子係止ランスの係り代よりも小さい低背部の端子金具側への突出長分に抑えることができる。
【００１９】
したがって、上記（１）の構成によれば、端子係止ランスの係止力を高めるために端子金具に対する端子係止ランスの係り代を増大させた場合でも、端子係止ランスの撓みを許容するために端子係止ランスの裏側に確保するランス逃げ空間は、係り代よりも小さく抑えて、コネクタハウジングを小型化することができる。
【００２０】
上記（２）の構成によれば、突条部の側面が端子金具の切欠部の内側縁と接触することによって端子係止ランスの係止突起が幅方向外方に最大限に変位した場合でも、突条部の外側面は、端子金具の幅内に収まっていて、係止突起が端子収容孔の側壁等と干渉することを防止することができる。したがって、端子金具の挿入途中における端子係止ランスの変位挙動を円滑にすることができる。
【００２１】
上記（３）の構成によれば、低背部の係り代から切欠部の高さ寸法を差し引いた係止突起の高さ方向の領域は、その全幅が、端子金具の抜け方向への移動を規制する面として有効に機能し、低背部の係り代が切欠部の高さ寸法以下に設定されている場合と比較すると、安定した係止強度を確保することができる。
【発明の効果】
【００２２】
本発明によるコネクタによれば、端子係止ランスの係止力を高めるために端子金具に対する端子係止ランスの係り代を増大させた場合でも、端子係止ランスの撓みを許容するために端子係止ランスの裏側に確保するランス逃げ空間は、係り代よりも小さく抑えて、コネクタハウジングを小型化することができる。
【００２３】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２４】
【図１】図１は本発明に係るコネクタの一実施形態の要部の斜視図である。
【図２】図２は図１の状態から端子金具の挿入が少し進んだ状態の斜視図である。
【図３】図３は図２のＡ矢視で、端子金具挿入時における端子係止ランス変位方向の模式説明図である。
【図４】図４（ａ）は一実施形態の端子係止ランスの係止突起が本来の係止位置に位置しているときの係止突起と端子金具との相対位置の模式説明図、図４（ｂ）は一実施形態の端子金具が挿入途中で係止突起が弾性変位した状態における係止突起と端子金具との相対位置の模式説明図、図４（ｃ）は一実施形態の端子金具が規定の装着位置に到達する直前のときの係止突起と端子金具との相対位置の模式説明図である。
【図５】図５は図４（ｂ）のＢ矢視模式説明図である。
【図６】図６は図５のＣ矢視模式説明図である。
【図７】図７は図５に示した状態から更に端子金具の挿入が進んで、端子金具が規定の装着位置に到達して、端子係止ランスの係止突起によって端子金具が抜け止めされている状態の模式説明図である。
【図８】図８は従来のコネクタの縦断面図である。
【発明を実施するための形態】
【００２５】
以下、本発明に係るコネクタの好適な実施形態について、図面を参照して詳細に説明する。
【００２６】
図１〜図７は本発明に係るコネクタの一実施形態を示したもので、図１は本発明の一実施形態のコネクタの要部の斜視図、図２は図１の状態から端子金具の挿入が少し進んだ状態の斜視図、図３は図２のＡ矢視で端子金具挿入時における端子係止ランス変位方向の模式説明図、図４（ａ）は一実施形態の端子係止ランスの係止突起が本来の係止位置に位置しているときの係止突起と端子金具との相対位置の模式説明図、図４（ｂ）は一実施形態の端子金具が挿入途中で係止突起が弾性変位した状態における係止突起と端子金具との相対位置の模式説明図、図４（ｃ）は一実施形態の端子金具が規定の装着位置に到達する直前のときの係止突起と端子金具との相対位置の模式説明図、図５は図４（ｂ）のＢ矢視模式説明図、図６は図５のＣ矢視模式説明図、図７は図５に示した状態から更に端子金具の挿入が進んで、端子金具が規定の装着位置に到達して、端子係止ランスの係止突起によって端子金具が抜け止めされている状態の模式説明図である。
【００２７】
この一実施形態のコネクタ１は、金属板製の端子金具１０と、この端子金具１０を収容する樹脂製のコネクタハウジング２０と、を備えている。
【００２８】
端子金具１０は、図２に示すように、相手端子が嵌合する角筒状の端子嵌合部１１と、この端子嵌合部１１の後端に連なる不図示の電線圧着部と、端子嵌合部１１に装備された抜け止め用の凹部１３（図５参照）と、端子嵌合部１１に装備された切欠部１４と、を備えている。
【００２９】
端子嵌合部１１は、図４に示すように、角筒を構成する４辺の側壁の内の一側壁である底壁１１ａと、この底壁１１ａの両側から垂直に立ち上がった一対の側部壁１１ｂ，１１ｃと、これらの一対の側部壁１１ｂ，１１ｃの上端を連絡する天井部壁１１ｄとで、角筒構造を形成している。底壁１１ａ及び一対の側部壁１１ｂ，１１ｃ及び天井部壁１１ｄは、いずれも、平坦な壁板である。
【００３０】
不図示の電線圧着部は、電線を圧着接続する部位で、端子嵌合部１１の後端に連なっている。
【００３１】
本実施形態の場合、抜け止め用の凹部１３は、図５及び図７に示すように、端子嵌合部１１の底壁１１ａに貫通形成された切欠穴である。この抜け止め用の凹部１３は、コネクタハウジング２０の端子収容孔２１に挿入した端子金具１０が規定の装着位置に到達したときに、図７に示すように、後述する端子係止ランス２２の係止突起２４が係合して、端子金具１０の抜け方向への移動を規制する。
【００３２】
この凹部１３は、図５及び図７に示すように、端子金具１０の挿入方向（図２の矢印Ｘ２方向）に沿う長さ寸法Ｌ１が、後述する端子係止ランス２２の係止突起２４の端子金具１０の挿入方向に沿う長さ寸法Ｌ２よりも大きく設定されている。
【００３３】
また、本実施形態における凹部１３は、幅寸法（図５では、紙面に直交する方向）が、底壁１１ａの幅寸法Ｗ１（図４（ａ）参照）よりも小さく設定されている。
【００３４】
切欠部１４は、図１及び図４に示すように、端子金具１０の底壁１１ａの片側（図４では、右側）の隅部に設けられている。
【００３５】
この切欠部１４は、後述する端子係止ランス２２の係止突起２４の突条部２４１が進入可能な切欠である。この切欠部１４は、端子金具１０の前端１０ａから凹部１３の後端１３ａの位置まで、底壁１１ａの一部及び一方の側部壁１１ｂの一部を切除することで形成されている。
【００３６】
切欠部１４の形成のために、図４（ａ）に示すように、底壁１１ａはその右端の幅寸法Ｗ２の範囲が切除され、側部壁１１ｂはその下端の高さ寸法Ｈ２の範囲が切除されている。
【００３７】
即ち、切欠部１４は、幅寸法がＷ２、高さ寸法がＨ２で、端子金具１０の前端１０ａから凹部１３の後端１３ａの位置までの長さＬ３の大きさに形成されている。この切欠部１４は、抜け止め用の凹部１３に連通している。
【００３８】
コネクタハウジング２０は、図１及び図２に示すように、端子金具１０を収容する端子収容孔２１と、この端子収容孔２１の一側に装備された端子係止ランス２２と、を備えている。
【００３９】
端子収容孔２１は、ハウジング後端からハウジング前端に貫通している。端子金具１０は、ハウジング後端から、端子収容孔２１に挿入される。
【００４０】
端子係止ランス２２は、抜け止め用の凹部１３が装備されている端子金具１０の底壁１１ａと対向する端子収容孔２１の一側（図１では下側）に装備されている。
【００４１】
この端子係止ランス２２は、弾性片２３と、この弾性片２３に突設された係止突起２４とから構成されている。
【００４２】
弾性片２３は、端子収容孔２１への端子金具１０の挿入方向（図２の矢印Ｘ２方向）に沿って延設されている。この弾性片２３は、端子金具１０の挿入方向と直交する方向（図２の矢印Ｙ２方向）に撓み変位可能である。
【００４３】
係止突起２４は、端子収容孔２１内に突出するように、弾性片２３に突設されている。この係止突起２４は、幅寸法がＷ４（図４（ａ）参照）、長さ寸法Ｌ２（図５参照）の突起である。係止突起２４は、端子金具１０が規定の装着位置に到達したときに前記凹部１３に係合して前記端子金具１０を抜け止めする。
【００４４】
本実施形態の係止突起２４は、図２に示すように、突条部２４１と、低背部２４２と、ガイド斜面２４３，２４４と、係止面２４５と、撓み付与側面２４７と、を備えている。
【００４５】
突条部２４１は、係止突起２４の全幅Ｗ４の内で、端子金具１０の切欠部１４側となる片側に位置した突起部である。この突条部２４１は、図４（ａ）に示すように、最大幅がＷ５となっている。この突条部２４１の最大幅Ｗ５（図４（ａ）参照）は、切欠部１４の幅寸法Ｗ２よりも小さい値に設定されている。
【００４６】
この突条部２４１の端子金具１０側への突出長Ｈ５（図４（ａ）参照）は、端子金具１０への係り代となる値である。本実施形態の場合、突条部２４１の突出長Ｈ５は、端子金具１０に対する係止強度を確保することができる規定値に設定されている。
【００４７】
低背部２４２は、突条部２４１に隣接して幅方向の他側に設けられている。また、低背部２４２は、図４（ａ）に示すように、端子金具１０側への突出長Ｈ６が、突条部２４１よりも所定寸法Ｈ７だけ小さく設定されている。また、低背部２４２は、端子金具１０側に位置する上面２４２ａが平坦面になっている。この低背部２４２の上面２４２ａは、端子金具１０の一側壁である底壁１１ａが摺動する摺動面となる。
【００４８】
本実施形態の場合、低背部２４２の突出長Ｈ６は、当該低背部２４２の端子金具１０への係り代となる。この低背部２４２の係り代である突出長Ｈ６は、切欠部１４の高さ寸法Ｈ２よりも大きく設定している。
【００４９】
そのため、図４（ａ）に示すように、低背部２４２の係り代Ｈ６から切欠部１４の高さ寸法Ｈ２を差し引いた係止突起２４の高さ方向の領域Ｈ８は、係止突起２４の全幅が、端子金具１０の抜け方向への移動を規制する面として有効に機能するようになり、安定した係止強度を確保することができる。
【００５０】
ガイド斜面２４３は、突条部２４１のハウジング後端側の端部に形成された傾斜面である。このガイド斜面２４３は、端子金具１０側への突出長が端子金具１０の挿入方向に沿って徐々に増大する傾斜面である。このガイド斜面２４３は、端子金具１０の底壁１１ａとの接触によって、当該係止突起２４を底壁１１ａに直交する外方向（図２の矢印Ｙ２方向）に押し出す力を生ぜしめる。
【００５１】
ガイド斜面２４４は、低背部２４２のハウジング後端側の端部に形成された傾斜面である。このガイド斜面２４４は、ガイド斜面２４３と同様に、端子金具１０側への突出長が端子金具１０の挿入方向に沿って徐々に増大する傾斜面である。このガイド斜面２４４は、端子金具１０の底壁１１ａとの接触によって、当該係止突起２４を底壁１１ａに直交する外方向（図２の矢印Ｙ２方向）に押し出す力を生ぜしめる。
【００５２】
係止面２４５は、図１及び図２に示すように、突条部２４１及び低背部２４２のハウジング前端側の端部に形成されている。この係止面２４５は、端子金具１０の挿入方向に直交する垂直面、又は上端側がハウジング前端側に傾倒して端子金具１０の挿入方向と交差する傾斜面に形成されている。係止面２４５は、図７に示すように、係止突起２４が前記凹部１３に突入した状態で、凹部１３のハウジング前端側の縁１３ｂに当接することで前記端子金具１０の抜け方向への移動を規制する。
【００５３】
撓み付与側面２４７は、低背部２４２から起立する突条部２４１の側面である。この撓み付与側面２４７は、図６に示すように、端子金具１０の挿入方向に沿って突条部２４１の幅寸法を徐々に増大させる曲面状に形成されている。
【００５４】
この撓み付与側面２４７は、図６に示すように、切欠部１４の内側縁１４ａとの接触によって、弾性片２３を矢印Ｒ１に示す幅方向外方に撓ませる力を生ぜしめる。
【００５５】
言い換えると、突条部２４１は、端子金具１０の端子収容孔２１への挿入時に、端子金具１０の切欠部１４に進入して、撓み付与側面２４７と切欠部１４の内側縁１４ａとの接触によって、弾性片２３を幅方向外方に撓ませる。
【００５６】
以上に説明した一実施形態のコネクタ１によれば、端子金具１０をコネクタハウジング２０の端子収容孔２１に挿入した際、端子金具１０が規定の装着位置に到達するまでは、端子係止ランス２２の係止突起２４に装備されている突条部２４１が、端子金具１０の切欠部１４内を進む。そして、突条部２４１は、低背部２４２から起立する側面である撓み付与側面２４７が端子金具１０の挿入方向に沿って幅寸法を徐々に増大させる曲面状で、撓み付与側面２４７が切欠部１４の内側縁１４ａと接触することで、図６に矢印Ｒ１で示すように、端子係止ランス２２の弾性片２３を幅方向外方に撓ませる。また、端子金具１０の挿入操作時、端子係止ランス２２における係止突起２４の低背部２４２のハウジング後端側の端部に形成されたガイド斜面２４４は、端子金具１０の一側壁である底壁１１ａとの接触によって、当該係止突起２４を端子収容孔２１から押し出す方向の力を生ぜしめて、図５に矢印Ｒ２で示すように、端子係止ランス２２の弾性片２３を端子金具１０の底壁１１ａと直交する方向に撓ませる。
【００５７】
即ち、一実施形態のコネクタ１によれば、端子金具１０の挿入途中では、突条部２４１の側面が端子金具１０の切欠部１４の内側縁１４ａと接触することよって発生する幅方向外方に向かう力と、低背部２４２のガイド斜面２４３，２４４が端子金具１０の一側壁と接触することによって発生する係止突起２４を前記一側壁に直交する外方向に押し出す力とが作用する。これらの作用力によって、端子係止ランス２２の係止突起２４は、図４（ｂ）及び図４（ｃ）に矢印Ｚ１，Ｚ２で示すように、端子金具１０の一側壁である底壁１１ａに対して斜め方向に変位する。
【００５８】
そして、端子金具１０の挿入が更に進んで、端子金具１０が規定の装着位置に到達したときには、突条部２４１の撓み付与側面２４７と端子金具１０の切欠部１４の内側縁１４ａとの接触状態、及び低背部２４２のガイド斜面２４４と端子金具１０の底壁１１ａとの接触状態、のそれぞれの接触状態が解消され、図７に示したように、端子係止ランス２２の弾性片２３の弾性復元力によって係止突起２４が端子金具１０の一側壁上の凹部１３に係合した状態となって、端子金具１０の抜けが防止される。
【００５９】
そして、一実施形態のコネクタ１によれば、端子係止ランス２２の係止突起２４が端子金具１０の凹部１３に係合した状態のときの端子金具１０に対する端子係止ランス２２の係り代は、端子係止ランス２２の係止突起２４における突条部２４１の端子金具１０側への突出長Ｈ５となる。しかし、端子金具１０の挿入途中での端子係止ランス２２の端子金具１０の底壁１１ａと直交する方向への撓み変位量は、最大で、端子係止ランス２２の係止突起２４における低背部２４２の端子金具１０側への突出長Ｈ６であり、係り代よりも小さくなる。
【００６０】
そのため、端子係止ランス２２の撓みを許容するために端子係止ランス２２の裏側に確保するランス逃げ空間の深さは、端子係止ランス２２の係り代Ｈ５よりも小さい低背部２４２の端子金具１０側への突出長Ｈ６に抑えることができる。
【００６１】
したがって、一実施形態のコネクタ１によれば、端子係止ランス２２の係止力を高めるために端子金具１０に対する端子係止ランス２２の係り代を増大させた場合でも、端子係止ランス２２の撓みを許容するために端子係止ランス２２の裏側に確保するランス逃げ空間は、係り代Ｈ５よりも小さく抑えて、コネクタハウジング２０を小型化することができる。
【００６２】
また、一実施形態のコネクタ１によれば、突条部２４１の側面である撓み付与側面２４７が端子金具１０の切欠部１４の内側縁１４ａと接触することよって端子係止ランス２２の係止突起２４が幅方向外方に最大限に変位した場合でも、突条部２４１の外側面２４１ｂは、図４（ｃ）に示したように端子金具１０の幅内に収まっていて、係止突起２４が端子収容孔２１の側壁等と干渉することを防止することができる。したがって、端子金具１０の挿入途中における端子係止ランス２２の変位挙動を円滑にすることができる。
【００６３】
また、一実施形態のコネクタ１によれば、低背部２４２の係り代Ｈ６から切欠部１４の高さ寸法Ｈ２を差し引いた係止突起２４の高さ方向の領域Ｈ８は、係止突起２４の全幅Ｗ４が、端子金具１０の抜け方向への移動を規制する面として有効に機能し、低背部２４２の係り代が切欠部１４の高さ寸法以下に設定されている場合と比較すると、安定した係止強度を確保することができる。
【００６４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６５】
例えば、係止突起２４における突条部２４１及び低背部２４２のハウジング後端側の端部に形成されるガイド斜面２４３，２４４は、傾斜面に限るものではなく、端子金具側への突出長が端子金具の挿入方向に沿って徐々に増大する曲面状にすることもできる。
また、係止突起２４の突条部２４１に装備される撓み付与側面２４７は、曲面状に限るものではなく、端子金具１０の挿入方向に沿って突条部２４１の幅寸法を徐々に増大させる傾斜面状にしても良い。
【００６６】
ここで、上述した本発明に係るコネクタの実施形態の特徴をそれぞれ以下［１］〜［３］に簡潔に纏めて列記する。
【００６７】
［１］  一側壁（１１ａ）に抜け止め用の凹部（１３）が形成された端子金具（１０）と、
前記端子金具（１０）が挿入される端子収容孔（２１）と、前記端子収容孔（２１）の一側に装備された端子係止ランス（２２）と、を備え、前記端子係止ランス（２２）は、前記端子金具（１０）の挿入方向と直交する方向に撓み変位可能な弾性片（２３）に突設されて前記端子金具（１０）が規定の装着位置に到達したときに前記凹部（１３）に係合して前記端子金具（１０）を抜け止めする係止突起（２４）を備えるコネクタハウジング（２０）と、
を備えるコネクタ（１）であって、
前記端子金具（１０）の前記一側壁（１１ａ）の片側の隅部には、当該端子金具（１０）の前端（１０ａ）から前記凹部（１３）まで延在して前記凹部（１３）に連通した切欠部（１４）を備え、
前記係止突起（２４）は、前記切欠部（１４）側となる片側に位置して前記端子金具（１０）側への突出長が規定値に設定された突条部（２４１）と、該突条部（２４１）に隣接すると共に前記端子金具（１０）側への突出長が前記突条部（２４１）よりも小さく設定されてその表面（２４２ａ）を前記一側壁（１１ａ）が摺動する低背部（２４２）と、前記低背部（２４２）の端部に形成されて前記一側壁（１１ａ）との接触によって当該係止突起（２４）を前記一側壁（１１ａ）に直交する外方向に押し出す力を生ぜしめるガイド斜面（２４４）と、前記突条部（２４１）に形成され前記低背部（２４２）から起立する傾斜面状又は曲面状の側面（２４７）と、を備え、
前記突条部（２４１）は、前記端子金具（１０）の挿入時に前記切欠部（１４）に進入して、前記側面（２４７）と前記切欠部（１４）の内側縁（１４ａ）との接触によって前記弾性片（２３）を幅方向外方に撓ませることを特徴とするコネクタ（１）。
【００６８】
［２］  前記突条部（２４１）の最大幅（Ｗ５）を、前記切欠部（１４）の幅寸法（Ｗ２）よりも小さく設定していることを特徴とする上記［１］に記載のコネクタ（１）。
【００６９】
［３］  前記低背部（２４２）の係り代（Ｈ６）を、前記切欠部（１４）の高さ寸法（Ｈ２）よりも大きく設定していることを特徴とする上記［１］又は［２］に記載のコネクタ（１）。
【符号の説明】
【００７０】
１  コネクタ
１０  端子金具
１１ａ  底壁（一側壁）
１３  凹部
１４  切欠部
１４ａ  内側縁
２０  コネクタハウジング
２１  端子収容孔
２２  端子係止ランス
２３  弾性片
２４  係止突起
２４１  突条部
２４２  低背部
２４３，２４４  ガイド斜面
２４５  係止面
２４７  撓み付与側面（側面）
Ｈ２  切欠部の高さ寸法
Ｈ６  低背部の係り代
Ｗ２  切欠部の幅
Ｗ５  突条部の最大幅
【図１】
2015079721.tif 000003
【図２】
2015079721.tif 000004
【図３】
2015079721.tif 000005
【図４】
2015079721.tif 000006
【図５】
2015079721.tif 000007
【図６】
2015079721.tif 000008
【図７】
2015079721.tif 000009
【図８】
2015079721.tif 000010